(57)【要約】【課題】鏡筒が進退するレンズ鏡筒およびカメラにおいて、撮影の際は鏡筒内部への防水・防滴性を高め、鏡筒を進退させる際は駆動負荷を低減できるレンズ鏡筒およびカメラを提供する。【解決手段】撮影光学系を持つ第１の鏡筒と、該第１の鏡筒を連結している第２の鏡筒と、該第２の鏡筒に対して該第１の鏡筒を相対的に光軸方向に進退させるレンズ駆動手段と、該第１の鏡筒の外周面と該第２の鏡筒の内周面との隙間を遮蔽する弾性を持つシール部材を持つレンズ鏡筒において、シール部材を光軸方向に圧縮する圧縮手段と、撮影レンズの駆動に連動して、該シール部材の圧縮と解放を行う制御手段を持つ。【選択図】図１
2014203054.tif 000002
【特許請求の範囲】
【請求項１】
撮影光学系を持つ第１の鏡筒と、
該第１の鏡筒を連結している第２の鏡筒と、
該第２の鏡筒に対して該第１の鏡筒を相対的に光軸方向に進退させるレンズ駆動手段と、
該第１の鏡筒の外周面と該第２の鏡筒の内周面との隙間を遮蔽する弾性を持つシール部材を持つレンズ鏡筒において、
シール部材を光軸方向に圧縮する圧縮手段と、 
撮影レンズの駆動に連動して、該シール部材の圧縮と解放を行う制御手段を持つ
ことを特徴とするレンズ鏡筒。
【請求項２】
前記制御手段は、
前記シール部材の圧縮過程中と解放過程中、もしくは圧縮状態の際は、第１の鏡筒を進退させず、
前記シール部材を光軸方向に圧縮しない解放状態では、第１の鏡筒を進退させる制御を行うことを特徴とする請求項１に記載のレンズ鏡筒。
【請求項３】
前記圧縮手段とは、
前記シール部材の光軸方向一方に隣接した位置に、前記第２の鏡筒が壁面部（外装環の先端部Ａ１１０６Ａ）と、
前記シール部材の光軸方向の他方に隣接した位置に、前記第２の鏡筒が光軸に進退する進退部材（回転筒１１０４）とを持ち、
該進退部材を該壁面部に近づける事によって、間に位置する前記シール部材を光軸方向に圧縮し、
該進退部材を該壁面部から遠ざける事によって、間に位置する前記シール部材を光軸方向に非圧縮とすることを特徴とする請求項１又は請求項２に記載のレンズ鏡筒。
【請求項４】
前記圧縮手段の一部を成す前記進退部材（回転筒１１０４）が、
前記第1の鏡筒を光軸方向に進退させるレンズ駆動手段の一部を兼ねる事を特徴とする請求項３に記載のレンズ鏡筒。
【請求項５】
前記シール部材は、光軸を中心軸とした円環状であることを特徴とする請求項１乃至請求項４の何れか１項に記載のレンズ鏡筒。
【請求項６】
請求項１乃至請求項５の何れか１項に記載のレンズ鏡筒を持つことを特徴とするカメラ。
【発明の詳細な説明】
【技術分野】
【０００１】
本発明は、レンズ鏡筒やカメラに係わり、特に、沈胴鏡筒構造を持ち防水・防滴性を有するレンズ鏡筒およびカメラに関するものである。
【背景技術】
【０００２】
従来、鏡筒が多段の筒構造で伸縮し沈胴が可能な鏡筒構造を持ち、外部から隣接する筒間を通して内部への浸水や浸漬を防止する構造を持つレンズ鏡筒やカメラが知られている。
【０００３】
特許文献１に開示された技術では、特許文献１の図６と図７に示されている様に、第１レンズ枠４０の先端部４０ａの外径φＤ２が、他部分の外径φＤ１より大きくなっている。カム筒３０に対して第1レンズ枠４０は進退する際、第１レンズ枠４０の外径を押圧するシール部材３１の押圧量が特定の焦点距離または沈胴状態などの収納状態において増加することになる。即ち、特許文献１の図７に示すように、第１レンズ枠４０が広角位置から望遠端位置に移動する間は、上記シール部材３１が圧接している第１レンズ枠４０の外径φＤ１は変らないので、シール部材３１の押圧力も変らず、ズーミング動作はスムーズに行われる。
【０００４】
しかし、沈胴状態に鏡枠が移動すると、特許文献２の図６に示す如く、シール部材３１は傾斜面４０ｂを介して外径φＤ２が大きい先端部４０ａに圧接するので、その押圧力が増して防水性が高くなる。
【０００５】
しかしながら、シール部材３１と第1レンズ枠４０外径の距離を変える事で、シール部材の押圧量を調整している為、部品精度やレンズ枠駆動時のガタつきにより、距離が遠い際には、シール部材がレンズ枠４０の外径から離れて、防水・防滴性が低下する可能性があった。
【０００６】
また、特許文献２に開示された従来技術では、特許文献２の図１０と１１に示されている様に、鏡筒３２先端に第１レンズ２３を固定する際に、Ｏリング３４を押さえ部材３０と第１レンズ２３で光軸方向に挟み込む事で、Ｏリング３４が内径方向と外径方向に変形し、第１レンズ２３のコバ部、押さえ部材３０の内壁面で形成される隙間が封止されている。
【０００７】
しかしながら、この常にＯリングを押圧する事で隙間を封止させる方法を、相対的に駆動する二つの部品間の防水・防滴に使用すると、その押圧力に打ち勝つ駆動力を必要とし、装置の大型化や消費電力が増大する可能性があった。
【先行技術文献】
【特許文献】
【０００８】
【特許文献１】特開平５−１７３２４０号公報
【特許文献２】特開平７−１２８７１９号公報
【発明の概要】
【発明が解決しようとする課題】
【０００９】
そこで、本発明の目的は、鏡筒が進退するレンズ鏡筒およびカメラにおいて、撮影の際は鏡筒内部への防水・防滴性を高め、鏡筒を進退させる際は駆動負荷を低減できるレンズ鏡筒およびカメラを提供する事である。
【課題を解決するための手段】
【００１０】
上記目的を達成する為に、
請求項１の本発明は、
撮影光学系を持つ第１の鏡筒と、
該第１の鏡筒を連結している第２の鏡筒と、
該第２の鏡筒に対して該第１の鏡筒を相対的に光軸方向に進退させるレンズ駆動手段と、
該第１の鏡筒の外周面と該第２の鏡筒の内周面との隙間を遮蔽する弾性を持つシール部材を持つレンズ鏡筒において、
シール部材を光軸方向に圧縮する圧縮手段と、 
撮影レンズの駆動に連動して、該シール部材の圧縮と解放を行う制御手段を持つ
事を特徴とするレンズ鏡筒である。
【００１１】
請求項２の本発明は、
請求項１のレンズ鏡筒において、
上記制御手段は、
上記シール部材の圧縮過程中と解放過程中、もしくは圧縮状態の際は、第１の鏡筒を進退させず、
上記シール部材を光軸方向に圧縮しない解放状態では、第１の鏡筒を進退させる制御を行う
事を特徴とするレンズ鏡筒である。
【００１２】
請求項３の本発明は、
請求項１、２のレンズ鏡筒において、
上記圧縮手段とは、
上記シール部材の光軸方向一方に隣接した位置に、上記第２の鏡筒が壁面部（外装環の先端部Ａ１１０６Ａ）と、
上記シール部材の光軸方向の他方に隣接した位置に、上記第２の鏡筒が光軸に進退する進退部材（回転筒１１０４）とを持ち、
該進退部材を該壁面部に近づける事によって、間に位置する上記シール部材を光軸方向に圧縮し、
該進退部材を該壁面部から遠ざける事によって、間に位置する上記シール部材を光軸方向に非圧縮とする
事を特徴とするレンズ鏡筒である。
【００１３】
請求項４の本発明は、
請求項３のレンズ鏡筒において、
前記圧縮手段の一部を成す前記進退部材（回転筒１１０４）が、
前記第1の鏡筒を光軸方向に進退させるレンズ駆動手段の一部を兼ねる
事を特徴とするレンズ鏡筒である。
【００１４】
請求項５の本発明は、
請求項１から４のレンズ鏡筒において、
上記シール部材は、光軸を中心軸とした円環状である
事を特徴とするレンズ鏡筒である。
【００１５】
請求項６の本発明は、
請求項１から５のレンズ鏡筒を持つ事を特徴とするカメラである。
【発明の効果】
【００１６】
本発明によれば、鏡筒が進退するレンズ鏡筒およびカメラにおいて、撮影の際は鏡筒内部への防水・防滴性を高め、鏡筒を進退させる際は駆動負荷を低減できるレンズ鏡筒およびカメラを提供できる。
【図面の簡単な説明】
【００１７】
【図１】第１の実施例の沈胴状態のレンズ鏡筒およびカメラの断面図
【図２】第１の実施例のレンズ鏡筒およびカメラの正面図
【図３】第１の実施例の固定筒と回転筒の展開図
【図４】第１の実施例の沈胴状態から望遠端状態までのレンズ鏡筒断面図
【図５】第１の実施例のシール部材の変形状態の断面図
【図６】第２の実施例のレンズ鏡筒駆動のフローチャート
【発明を実施するための形態】
【００１８】
以下に、本発明の好ましい実施の形態を、添付の図面に基づいて詳細に説明する。
【００１９】
［実施の形態１］
以下、図１から図５を参照して実施の形態１を説明する。
【００２０】
〈レンズ鏡筒の構造説明〉
図１は、本発明の第１実施例を示す沈胴状態のレンズ鏡筒およびカメラの断面図である。
【００２１】
この実施例のカメラは、ズーム光学系を持つレンズ鏡筒を有しており、このレンズ鏡筒１１００は、その外装環１１０６がカメラ本体１２００前方に取り付け固定されている。
【００２２】
上記レンズ鏡筒１１００は、固定筒１１０５の外径の一部が、外装環１１０６のカメラ側内径部分と嵌合固定されている。図３の展開図は固定筒１１０５と回転筒１１０４を円周上で展開した図であり、円周３６０°の３分の１である１２０°部分を図示している。この図３において、固定筒１１０５上には、貫通したカム溝Ｂ１１０５Ｂが円周上3等分で配置されている。カム溝Ｂ１１０５Ｂは沈胴端・広角端・望遠端は被写体側に、途中Ａ・途中Ｂ・途中Ｃ・中間焦点距離は像面側に位置した溝である。
【００２３】
図１において、固定筒１１０５の内径側には、回転筒１１０４が、固定筒に対して回転可能に支持されている。回転環１１０４の外周には駆動ピン１１０４Ａが３本円周上３等分で固定され、図３に示されている様に、レンズ鏡筒が沈胴時は、固定筒１１０５上に配置されているカム溝Ｂ１１０５Ｂの沈胴端の位置に嵌入している。回転筒１１０４の撮像面側外径部には、ギア部１１０４Ｂが配置され、カメラ本体１２００内に固定されているズームモータ１２０６の軸上に固定されているピニオン１２０７とギア係合している。
【００２４】
第1の鏡筒１１０９は、その先端内部にズームレンズ１１０１と、撮像面側内部にフォーカスレンズ１１０２が配置されている。フォーカスレンズ１１０２は第１の鏡筒１１０３内で、図示していないモータによって光軸１１０９方向に前後して、撮像素子１２０４上に結像する像のピント合わせを行う。第１の鏡筒１１０３外径撮像面側には円周上３等分で配置されたカムピン１１０３Ａが配置されている。
【００２５】
図３において、カムピン１１０３Ａは、回転筒１１０４上の光軸に平行に伸びた貫通の長溝１１０４Ｂと、固定筒１１０５上の貫通のカム溝Ａ１１０５Ａとに、沈胴端位置で嵌入している。このカム溝Ａ１１０５Ａは、沈胴端から途中Ａまでは、光軸方向に傾きが無く、円周方向に伸びている。途中Ａから途中Ｃまでは被写体側に近づく傾きを持つ直線で、途中Ｃから広角端Cまでは、傾きが無く週方向に伸びる直線である。広角端を過ぎた角度位置から望遠端手前までは被写体側に近づく傾きを持った直線で、望遠端の手前から望遠端までは、傾きが無く週方向に伸びる直線である。
【００２６】
スペーサ１１０８は、回転筒１１０４の被写体側先端に配置され、リング状の形状で、内径寸法は第１の鏡筒１１０３の外径対して大きく、一部接している状態である。シール部材１１０７は、ゴム等の弾性部材であり、スペーサ１１０８に対して被写体側に配置され、光軸を中心とした回転対称形状で、その断面形状は、内径部１１０７Ａに３つのヒレ形状を持つ長方形である。図１の沈胴状態においては、このシール部材１１０７の被写体側に位置している外装環１１０６の先端部Ａ１１０６Ａとスペーサ１１０８によって光軸方向に押し潰され、直径方向に変形している状態である。
【００２７】
そのシール部材１１０７の変形前後の状態を、図５を用いて、詳細に説明する。
【００２８】
図５に破線で示されているシール部材１１０７の破線形状は、外装環１１０６の先端部Ａ１１０６Ａとスペーサ１１０８の間隔が十分広く、光軸方向に押し潰されて無い状態である。直径方向では、第1の鏡筒１１０３の外径が、部品単品状態でのシール部材１１０７の内径よりも大きい為、図５において、第1の鏡筒１１０３にシール部材１１０７の内径部１１０７Ａが押圧している。この状態で、第１の鏡筒１１０３が光軸方向に進退しても、外部の塵や少量の水滴が、鏡筒内部に侵入し難くなっている。
【００２９】
次に後述する動作によって、スペーサ１１０８が外装環の先端部Ａ１１０６Ａに接近すると、外装環１１０６の先端部Ａ１１０６Ａとスペーサ１１０８の間隔が、シール部材幅Ｗ１よりも狭くなって、シール部材１１０７は光軸方向に押し潰され、幅Ｗ２となる。この時同時に、シール部材１１０７は径方向に拡張し、シール部材１１０７の外径部１１０７Ｂは光軸中心の半径Ｒ１からＲ２に拡大する。また、シール部材１１０７の内径部１１０７Ａは内径側に変形しようとするが、剛性が高い第１の鏡筒１１０３の外径に接している為、内径に向けて変形できず、シール部材の内径部１１０７Ａは、その場でリブ形状が変形しながら、第１の鏡筒１１０３の外径に更に強く押圧される。
【００３０】
この押圧力の増加によって、１の鏡筒１１０３が光軸方向に進退しても、更に、外部の塵や水滴が、鏡筒内部に侵入し難くなっている。
【００３１】
〈カメラの構造説明〉
次にカメラ本体１２００に配置されている部材の説明を、図１と図２で行う。カメラ本体１２００の内部には、レンズ鏡筒１１００の光学系によって結像される像を受光する撮像素子１２０４が配置され、その画像の処理やカメラ本体１２００やレンズ鏡筒１１００を制御するＣＰＵ１２０９が配置されている。
【００３２】
カメラ本体１２００の外側上面には、画像を記録するタイミングを指示するシャッターボタン１２０１と、カメラ外部表面の水滴の有無を検出する水滴検知センサ１２０８が配置されている。なお、本実施の形態１では水滴検知センサは動作させない。カメラ本体１２００の背面には、押す事によって、レンズ鏡筒１１００を望遠側にズームする望遠ズームボタン１２０２と、レンズ鏡筒１１００を広角側にズームする広角ズームボタン１２０３と、撮像素子１２０４で得られる撮影画像や、再生画像や、操作項目を表示する液晶画面１２０５と、カメラの電源をオンオフする電源スイッチ１２０８が配置されている。
【００３３】
〈レンズ鏡筒の動作説明〉
次に、図１、図３、図４を用いて、レンズ鏡筒の動作と、特に本発明の特徴であるシール部材１１０７の動作を説明する。
【００３４】
図４は、図１のレンズ鏡筒の光軸より上方のみを示した図であり、図上部から、後述する回転筒の回転によって、沈胴端、途中Ａ、途中Ｂ、途中Ｃ、広角端、中間焦点距離、望遠端位置になった際の鏡筒断面図を示している。
【００３５】
〈電源スイッチをオンにした際のレンズ鏡筒の動作説明〉
先ず、図４の沈胴端の断面図は、図１の断面図の鏡筒部分を抜き出した図である。この時は、カメラの電源スイッチがオフの状態である。この状態では、シール部材１１０７は、外装環１１０６の先端部Ａ１１０６Ａとスペーサ１１０８によって光軸方向に押し潰され、直径方向に変形している状態である。その為、シール部材１１０７の内径側3本のヒレ部分は、第1の鏡筒１１０３の外径により強く圧接されている為、レンズ鏡筒外部から第1の鏡筒１１０３とシール部材の接している部分を通して、レンズ鏡筒内部へ、ゴミや水滴が侵入する可能性が低下する。
【００３６】
また、外装環１１０６の先端部Ａ１１０６Ａとシール部材１１０７が光軸方向により強く圧接している為、外装環１１０６とシール部材１１０７の接する面を通して、レンズ鏡筒外部から内部へゴミや水滴が侵入する可能性も低下する。
【００３７】
次に、撮影者が、図１に記載のカメラ本体１２００上の電源スイッチ１２０８をオンにすると、ＣＰＵ１２０９の制御でズームモータ１２０６が駆動され、モータ軸上のピニオン１２０７が回転筒１１０４上のギア部１１０４Ｂを回動し、回転筒１１０４は回転を開始する。回転筒１１０４上に配置された3つの長溝１１０４Ａは、図３記載の沈胴端位置から、広角端位置まで回転移動する。
【００３８】
図３において先ず、長溝１１０４Ａが沈胴端から途中Ａまで回転すると、回転筒１１０４上に固定されている駆動ピン１１０４Ａは、カム溝Ｂ１１０５Ｂに沿って、１１０４Ａ１位置から１１０４Ａ２位置まで移動する。この間のカム溝Ｂ１０５Ｂは光軸方向に撮像面側寄りに曲がっている為、駆動ピン１１０４Ａが固定されている回転筒１１０４も回転しながら光軸方向の像面側に変位する。またカム溝Ａ１１０５Ａは、沈胴端から途中Ａまでは光軸方向に変位の無い直線の為、このカム溝Ａ１１０５Ａと長溝１１０４Ａに嵌入しているカムピン１１０３Ａが固定されている第１の鏡筒１１０３は光軸方向には進退しない。
【００３９】
この変化を図４において説明すると、沈胴端状態から途中Ａ状態の変化は、第１の鏡筒１１０３は光軸方向でその場に留まり、回転筒１１０４は光軸方向の像面側（図右側）に変位する。この変位によって、外装環１１０６の先端部Ａ１１０６Ａと回転筒１１０４の先端部Ｂ１１０４Ｃの間隔が広くなり、シール部材１１０７の光軸方向の圧接が解除され、シール部材１１０７はスペーサ１１０８を像面側に押し退けながら、シール部材１１０７の断面形状は光軸方向に広がり、直径方向には縮まる。この事により、シール部材１１０７の内側が第１の鏡筒１１０３外径を押圧する力が弱まる。
【００４０】
続けて、ズームモータ１２０６が駆動されていて、途中Ａから途中Ｃまで回転筒１１０４が回転すると、第１の鏡筒１１０３は、カムピン１１０３Ａの動きによって、光軸方向被写体側に移動していく。この時、シール部材１１０７が第１の鏡筒１１０３を押圧する力が沈胴端時より弱まっている為、第１の鏡筒１１０３が相対的に進退する際のシール部材１１０７の摺動負荷が低減されていて、ズームモータ１２０６の駆動負荷が軽減され、少ない電力で第１の鏡筒１１０３を移動する事が可能となっている。
【００４１】
さらに続けて、ズームモータ１２０６が駆動されていて、途中Ｃから撮影可能な広角端まで回転筒１１０４が回転すると、第１の鏡筒１１０３は光軸方向に移動せず、回転筒１１０４の駆動ピン１１０４Ａが係合するカム溝Ｂ１１０５Ｂの曲線に沿って、回転筒１１０４は回転しながら、光軸方向被写体側に変位していく。この時、回転筒１１０４の先端部Ｂ１１０４Ｃがスペーサ１１０８を光軸方向被写体側に押し、スペーサ１１０８と外装環の先端部Ａ１１０６Ａの光軸方向間隔が縮まり、その間に配置されているシール部材１１０７は光軸方向に圧縮され、径方向には伸びていく。
【００４２】
その変形により、沈胴端時と同様に、シール部材１１０７の内径側3本のヒレ部分は、第1の鏡筒１１０３の外径により強く圧接されている為、レンズ鏡筒外部から第1の鏡筒１１０３とシール部材の接している部分を通して、レンズ鏡筒内部へ、ゴミや水滴が侵入する可能性が低下する。また、外装環１１０６の先端部Ａ１１０６Ａとシール部材１１０７が光軸方向により強く圧接している為、外装環１１０６とシール部材１１０７の接する面を通して、レンズ鏡筒外部から内部へゴミや水滴が侵入する可能性も低下する。よって、撮影しない沈胴端時と同様に、この広角端での撮影中に、塵や水滴がレンズ鏡筒やカメラに付着しても、内部に侵入する可能性が低く抑えられている。
【００４３】
また、この途中Ｃから広角端まで動きは、第１の鏡筒１１０３の移動が無く、シール部材１１０７を押圧するのみの為、この間のズームモータ１２０６の負荷は、シール部材を押圧する負荷のみで、第１の鏡筒１１０３を移動する負荷が無い。この為、この間のズームモータ負荷を低くする事が可能となり、駆動電力を低くする事が可能となっている。
【００４４】
以上、電源スイッチ１２０８がオフからオンにされた場合の、一連のレンズ鏡筒の動作とシール部材の変形と作用、駆動電力の説明を行った。
【００４５】
〈広角端状態で、望遠ズームボタンを押した際のレンズ鏡筒の動作説明〉
図４の広角端状態で、撮影者が図１のカメラ本体１２００背面にある望遠ズームボタン１２０２を長時間押した場合のレンズ鏡筒の動作を説明する。
【００４６】
図４の広角端状態では、前述したとおり、シール部材１１０７は光軸方向に圧接され、径方向に伸び第１の鏡筒１１０３外径により強く圧接する事で、内部への塵や水滴の侵入の可能性が低減されている。そして、撮影者が遠ズームボタン１２０２を長時間押した場合、ズームモータ１２０６の駆動により、回転筒１１０４が回転開始し、図４において、駆動ピン１１０４Ａが、１１０４Ａ５位置から光軸方向の像面側に移動する。この事により、駆動ピン１１０４Ａが連結されている回転筒は回転しながら光軸方向の像面側に変位する。この事により、外装環の先端部Ａ１１０６Ａと回転筒の先端部Ｂ１１０４Ｃの光軸方向間隔が広がり、その間に位置するシール部材１１０７は光軸方向の押圧が解除され、径方向の変形も縮小し、第１の鏡筒１１０３に対するシール部材１１０７の摺動負荷は低下する。
【００４７】
さらに回転筒１１０４が中間焦点距離まで回転を続けると、カム溝Ｂ１１０５Ｂの傾きはゼロで、駆動ピン１１０４Ａの光軸方向の変位は発生しないが、カム溝Ａ１１０５Ａは被写体側に傾斜している為、カム溝Ａに嵌入しているカムピン１１０３Ａが連結されている第１の鏡筒１１０３は、被写体側に繰り出されていく。この際、シール部材１１０の第１の鏡筒１１０３に対する摺動負荷が低減されている為、ズームモータ１２０６の駆動負荷は、ほとんど第１の鏡筒１１０３の駆動のみとなり、低い電力で回転筒を回転する事が可能である。
【００４８】
更に回転筒１１０４が望遠端近くまで回転を続けると、図４にある様に、カム溝Ａ１１０５Ａの傾きが零となり、第１の鏡筒１１０３の光軸方向の移動が停止する。そして、カム溝Ｂ１１０５Ｂは被写体側への傾きを持つ為、係合している駆動ピン１１０４Ａに連結されている回転筒１１０４は回転しながら光軸方向被写体側に変位し、シール部材１１０７は外装環の先端部Ａ１１０６Ａとで光軸方向に挟み込まれ、径方向の変形も引き起こす。そして、シール部材１１０７と第1の鏡筒１１０３外径との押圧力上昇と、シール部材１１０６と外装環の先端部Ａ１１０６との押圧力上昇によって、前述した広角端と同様に、塵や水滴が内部に侵入する可能性を低減する事ができる。
【００４９】
〈実施の形態１の効果〉
以上の構成と動作により、沈胴端状態・広角端状態と望遠端状態では、シール部材１１０７と第1の鏡筒１１０３との押圧力を他状態より高めている為、またシール部材１１０７と外装環の先端部Ａ１１０６Ａとの押圧力を他状態より高めている為、外部の塵や水滴がレンズ鏡筒内部に侵入する可能性を低減する事が可能となる。
【００５０】
また、沈胴状態と広角端状態の中間位置や、広角端と望遠端の中間位置では、シール部材１１０７と第1の鏡筒１１０３との押圧力を弱めている為、沈胴端状態・広角端状態・望遠端状態と比較して防塵・防滴効果が低くなるものの、第1の鏡筒１１０３が進退する際のシール部材１１０７の摺動負荷が軽減されている為、ズーム速度の高速化、消費電力の低減、ズーム用アクチュエータの小型化が可能となる。
【００５１】
このように上記レンズ鏡枠は、広角端を超え望遠端手前までの中間焦点距離での使用状態時よりも、望遠端と広角端と沈胴時のレンズ部の防水性を高くすることができるため、例えば、降雨中などにカメラをケースに入れないで携行する場合や、カメラの主電源が入っていて、広角端で撮影スタンバイ状態時などの防水性が、より一層向上する。また、一般的にはカメラは、撮影状態よりも収納状態や撮影スタンバイの広角端状態の方が多いので、その態様に合致した防水性を確保することができる。また、一般的撮影時には、広角端と望遠端での撮影頻度が高い為、その焦点距離での防塵・防滴性を高めておく事で、レンズ鏡筒やカメラへの塵や水滴の侵入の可能性を効果的に低減できる。
【００５２】
［実施の形態２］
以下、図１から図６を参照して実施の形態１を説明する。
【００５３】
実施の形態１と異なる点は、実施の形態１では動作させなかった水滴検知センサ１２０８を使用して、レンズ鏡筒の駆動制御を行う点であり、その他のレンズ鏡筒の構造とカメラの構造は実施の形態１と同一である。
【００５４】
〈レンズ鏡筒の動作説明〉
主に、図６のフローチャートを用いて、レンズ鏡筒およびカメラの動作を説明する。
まず、非使用状態である沈胴端時に、電源スイッチ１２０８を入れると、ステップ♯１０１にて主電源オンがなされている判断で、ステップ♯１０３へ進む。ステップ♯１０３では、水滴検知センサ１２０８によって、水滴の有無を検出し、水が検知された場合は大雨等の水滴の多い環境下にカメラが存在すると判断し、ステップ♯１０４に進む。ステップ♯１０４では、沈胴から広角端への繰出しを禁止し、レンズ鏡筒やカメラ内部に外部から水滴が侵入するのを防止する。
【００５５】
一方ステップ♯１０３で、水滴検知センサ１２０８によって水滴が少ないと検出された場合は、ステップ♯１０５へ進み、鏡筒を沈胴端状態から広角端状態まで繰出し駆動をする。この制御動作により、大雨等の水滴が多い環境で、沈胴端と広角端の中間状態での水滴の侵入を防止できる。
【００５６】
更にステップ＃１０６で、撮影者のズーム操作有無を判別する。もしズーム操作を行っていない場合は、ステップ＃１２０に進み、水滴検知センサ１２０８によって外部水滴判断を行う。もし外部水滴が存在した場合、ステップ＃１２１で広角端へのズーム駆動を行う。この動作により、シール部材１１０７周りを通しての外部からの水滴の侵入を防止している。
【００５７】
一方ステップ＃１０６で、撮影者のズーム操作有無を判別し、もしズーム操作を行った場合は、ステップ＃１０７に進み、水滴検知センサ１２０８によって外部水滴判断を行い、水滴が検出された際はステップ＃１０８に進む。ステップ＃１０８では、撮影者が指示したズーム操作が繰り出し方向かを判別し、もし繰出し方向の場合はステップ＃１０９に進み、ズーム駆動を禁止する。多量の水滴がある環境下時に、繰出し方向のズームを行うと、カメラ内圧が低下し、シール部材１１０７周りを通して、レンズ鏡筒内部に水滴が侵入する可能性が有る為、それを回避する為に繰出し方向のズームを禁止している。
【００５８】
またステップ＃１０８時点でズーム操作が組込み方向で有る場合は、カメラ内圧が高まる方向の駆動の為、ステップ＃１１０に進み、通常の繰り込み方向のズーム動作を行う。
【００５９】
〈実施の形態２の効果〉
本実施の形態２の効果は、実施の形態１の効果に加えて、水滴検知センサ１２０８の出力結果によるズーム駆動制御による効果がある。
【００６０】
一つ目の効果は、ローチャートのステップ＃１０３から１０４によって、カメラの電源スイッチオン時に既に水滴が多量な環境下の場合は、沈胴端から広角端への鏡筒繰出しを禁止して、水滴の侵入を防止できる。
【００６１】
二つ目の効果は、フローチャートのステップ＃１０６、♯１２０、♯１２１によって、撮影状態において、定期的に外部水滴を検出し、水滴が多量にある場合は、広角端にズーム移動する事で、水滴の侵入を防止できる。
【００６２】
三つ目の効果は、フローチャートのステップ＃１０８、♯１０９、♯１１０によって、ズーム操作を指示された際に、ズーミング時のレンズ鏡筒とカメラ内部への水滴の侵入を防止する事ができる。
【符号の説明】
【００６３】
１１００  レンズ鏡筒
１１０１  ズームレンズ
１１０２  フォーカスレンズ
１１０３  第1の鏡筒
１１０３Ａ  カムピン
１１０４  回転筒
１１０４Ａ  駆動ピン
１１０４Ｂ  長溝
１１０４Ｃ  先端部Ｂ
１１０５  固定筒
１１０５Ａ  先端部Ａ
１１０５Ｂ  カム溝Ｂ
１１０６  外装環
１１０７  シール部材
１１０８  スペーサ
１１０９  光軸
１２００  カメラ本体
１２０１  シャッターボタン
１２０２  望遠ズームボタン
１２０３  広角ズームボタン
１２０４  画像素子
１２０５  液晶画面
１２０６  ズームモータ
１２０７  ピニオン
１２０８  電源スイッチ
１２０９  ＣＰＵ
【図２】
2014203054.tif 000003
【図６】
2014203054.tif 000004
【図１】
2014203054.tif 000005
【図３】
2014203054.tif 000006
【図４】
2014203054.tif 000007
【図５】
2014203054.tif 000008